(57)【要約】      （修正有）【課題】必要な時には容易にマスクになり、マスクが必要でなくなればハンドタオルとしても使えるといった互換性機能を有し、また、普通のハンカチ生地やタオル生地の素材感やゴアゴア感、又は通気性や重量感についての問題を解決する簡易マスクを提供する。【解決手段】簡易マスク１は、略正方形の二重ガーゼタオル織物を帯状に折り畳んで矩形状とした折り畳み片に、その両端からリング状ゴム紐４のリングを夫々着脱自在に掛け通した状態で、折り畳み片を更に中央方向に折り曲げて、重ね合わせるか又は接合させることでマスク状とするものである。そしてマスクとしての使用を必要としないときは、略正方形の二重ガーゼタオル織物をそのままハンカチとして使用することができる。【選択図】図１
0003227113.tif 000002
【実用新案登録請求の範囲】
【請求項１】
略正方形の二重ガーゼタオル織物を折り畳んで構成される略長方形のマスク本体部と、
該マスク本体部の右側部と左側部にそれぞれ配置されている耳掛け部とを有しており、
該耳掛け部は、前記マスク本体部の端部を中央部方向に折り曲げることにより形成される谷折り部に配置されていることを特徴とする簡易マスク。
【請求項２】
二重ガーゼタオル織物が綿繊維からなる請求項１記載の簡易マスク。
【請求項３】
二重ガーゼタオル織物が超高分子量ポリエチレン繊維からなる請求項１記載の簡易マスク。
【考案の詳細な説明】
【技術分野】
【０００１】
本考案は、二重ガーゼからなるタオル織物とマスク用のリング状ゴムひもをワンセットとした簡易マスクに関するものである。
【背景技術】
【０００２】
昨今、インフルエンザや花粉症、殊に所謂「新型コロナウイルス（COVID−１９）」感染防止の観点からマスクの需要が高まっている。現在使用されているマスクは、使い捨てタイプのものが主流であり、需要に対して供給が追い付かないことで、マスクの入手が困難となり、特に医療スタッフ自身が感染して医療崩壊を招く寸前の状態となっており、遂には感染爆発事態の発生が恐れられるような社会状況が生まれている。
【０００３】
そもそも不織布マスクは洗濯して繰り返し使用することに適しておらず、しかも洗濯をしない繰り返し使用は衛生上問題がある。他方、ガーゼマスクは洗濯して繰り返し使用できるが、その製造に時間と手間がかかる。
公知のマスクとしては、たとえば特許文献１がある。
【先行技術文献】
【特許文献】
【０００４】
【特許文献１】特開２０１４−１７１８４２号公報
【考案の概要】
【考案が解決しようとする課題】
【０００５】
本考案は、昨今のマスク不足という状況に鑑みて、必要な時に容易にマスクとして使用でき、マスクが必要でなくなればハンドタオルとしても使えるといった互換性機能を有する簡易マスクを提供することを第一義とし、従来公知の簡易マスクに用いられる生地としては一般的なハンカチ生地やタオル生地が知られているが、これらをマスクに転用した場合、柔和な顔面皮膚に対しては、素材感が強く感じられ、着用時のゴアゴア感が強く、また通気性や重量感についての問題があったことを含めて、全てを一気に解決することのできる簡易マスクを提供する。
【課題を解決するための手段】
【０００６】
上記課題を解決する手段、すなわち本考案の構成は、略正方形の二重ガーゼタオル織物を折り畳んで構成される略長方形のマスク本体部と、該マスク本体部の右側部と左側部にそれぞれ配置されている耳掛け部とを有しており、該耳掛け部は、前記マスク本体部の端部を中央部方向に折り曲げることにより形成される谷折り部に配置されていることを特徴とする簡易マスクである。
【考案の効果】
【０００７】
本考案は上記従来技術の課題に鑑み、いつでも容易にマスクとしての形態を与えることが可能で、マスクが必要でなくなればハンドタオルとしても使えるといった互換性を有する簡易マスクが提供できる。
【０００８】
また、本考案の簡易マスクの素地は、柔らかく吸水性と通気性があり、肌触り感が良い二重ガーゼタオル織物を使用しているので、マスクとして着用した場合、従来公知のマスクが有するゴアゴアした素材感がなく、口や鼻に柔らかく、しかも素材が柔軟であるから顔面全体にぴったりと接し、このことにより、頬部、顎部、鼻梁部に隙間が生じるのを抑制できてウイルスや細菌の侵入を防止でき、着用感は抜群であるにも拘らず、二重ガーゼ組織であるから、咳やくしゃみをしてもウイルスなどの飛び出しをほぼ抑制できる。そしてマスクとして使わない場合は、マスク用のリング状ゴム紐を外して折り畳み状態を開放すれば、タオル、ハンカチとして使用することもできる。
また、洗濯により何度でも再使用でき、消毒液のスプレーにより継続使用も可能である。素材に綿繊維を用いる場合にあっては、マスクを直接煮沸消毒することもできる。
【図面の簡単な説明】
【０００９】
【図１】本考案の簡易マスクを口腔面側から見た概略図である。
【図２】本考案の簡易マスクに用いる二重ガーゼタオル織物を示す図である。
【図３】図２の状態から三つ折りにして矩形状とした二重タオル織物の両端にマスク用のリング状ゴム紐を貫通させた上で点線に沿って折り曲げる状況を示す図である。
【考案を実施するための形態】
【００１０】
以下実施例に基づいて、態様例を説明する。
【００１１】
本考案に用いる二重ガーゼタオル織物は、二重ガーゼ組織で織製されたタオル織物であるから、通気性が良く、吸水性に優れ、軽くて柔らかく、マスクとして用いるのに最適である。殊に、従来公知の簡易マスクが有するゴアゴア感がなく、しかも口や鼻に対して、隙間を生じずに柔らかく密接することで優れたピッタリ感が得られる。
【００１２】
本考案の二重ガーゼタオル織物は、タオル織機を用いて製織することができる。先染糸を用いて所望のデザイン柄を構成することも可能である。
【００１３】
本考案の二重ガーゼタオル織物に用いる素材としては、考案の目的、用途に鑑み綿繊維が特に好ましい。綿繊維を用いることで煮沸消毒が可能となり、感染防止マスク用としては最良の利点といえる。
【００１４】
本考案の二重ガーゼタオル織物に用いる素材として、超高分子量ポリエチレン繊維を経糸、緯糸の両方に使用することで通常のマスクより２〜４℃の冷却効果があり、涼しく着用ができるから、着用者が鼻腔入口（いわゆる鼻の穴）を外すように下へ摺り下げて使用するといったことを防ぐことができ、春から初夏にかけてのマスクとして最適である。
【００１５】
本考案マスクを作成するに当たっては、まず略正方形ハンカチサイズの二重ガーゼタオル織物２を、図２に示すように、折り畳み線６ａに沿って三つ折りにする。
【００１６】
本考案に言うハンカチとは、形は略正方形であり、一辺の長さは特に限定されないが、小さいもので２０ｃｍから大きいもので４５ｃｍ程度であり、特に３５ｃｍ近傍が好ましい。大人用と子供用に分けて準備することもできる。
【００１７】
前記三つ折りにして略長方形状とした二重ガーゼタオル織物（マスク本体部５）の左右両端を折り曲げて構成される谷折り部分に、耳掛け部であるリング状ゴム紐４を図３のように貫入させて位置決めし、矩形状となった二重ガーゼタオル織物の両端片を折り曲げ線６ｂに沿って中央に向けて内側に折り曲げる。
【００１８】
前記、三つ折り二重ガーゼタオル織物の両端を中央に向けて折り曲げを行う場合、両端は重ね合わせても、接する状態であっても、離れていてもよい。これはマスクとして取り付ける口元の広さに応じて適宜調節すればよい。
【００１９】
マスク用のリング状ゴム紐は、大人用と子供用の２種または３種を準備することもできるが、必要であれば、リング状でない単なる紐状のゴム紐を使って着用者の顔の大きさに合わせて、ゆるくもなくきつくもない長さに調整して結んでリング状として使用することもできる。この場合は結び目を折り曲げ線の内面側に来るように調整する。
【００２０】
このようにして出来上があったマスクを口元に持っていき、ゴム紐を耳にかけて装着すればよい。
【００２１】
本考案マスクの二重ガーゼタオル織物の重ね合わせの内側に、ウエットティッシュ、又は除菌用ティッシュやコーヒー用フィルタを挟み込むことにより、さらに高機能な感染予防マスクとしての使用が可能である。
【符号の説明】
【００２２】
１：本考案の実施態様を示す簡易マスク
２：略正方形二重ガーゼタオル織物 
４：耳掛け部であるリング状ゴム紐
５： マスク本体部
６ａ：折り畳み線
６ｂ：折り曲げ線
【図１】
0003227113.tif 000003
【図２】
0003227113.tif 000004
【図３】
0003227113.tif 000005